【手続補正書】
【提出日】平成24年11月13日(2012.11.13)
【手続補正１】
【補正対象書類名】明細書
【補正対象項目名】００３５
【補正方法】変更
【補正の内容】
【００３５】
このようにしてダミー画像をフレームメモリ部１０８に取り込んだ後、縦線ノイズ量を検出し、縦線ノイズの補正データを作成し、フレームメモリ部１０８に記憶する。その後、第１フィールドの読み出しパルスを出力して、第１フィールドの画像信号を読み出す。この第１フィールドの読み出しを行う際に、縦線ノイズの補正データをフレームメモリ部１０８から読み出して、読み出された第１フィールドの画像信号からの減算処理を行い、減算結果をフレームメモリ部１０８内に書き込む。同様の処理を第２フィールド及び第３フィールドに対して行うことで、縦線ノイズの画像補正を行う。
【手続補正２】
【補正対象書類名】明細書
【補正対象項目名】００３７
【補正方法】変更
【補正の内容】
【００３７】
図５（ｃ）はダミー画像の一例を示す図である。ダミーフィールドでは画素の読み出しパルスを出力しないため、基本的な画像としては黒画像になる。しかし画素の情報は無くとも、垂直転送ＣＣＤ１０２ｂで電荷の転送しているので、ダミー画像でも図５（ｃ）のように縦線ノイズが発生している。この縦線ノイズの信号レベルは各フィールドの画像を読み出したときの縦線ノイズと同じレベルになるため、このダミー画像から縦線ノイズの補正データ（図５（ｄ））を作成する。補正データは、ダミー画像の所定領域の画素の平均値を各水平ライン数分、縦線ノイズ検出値として取得することにより作成する。そのため、ダミー画像の垂直サイズは、縦線ノイズ検出の精度をあげるため、できるだけ多いほうが好ましい。
【手続補正３】
【補正対象書類名】明細書
【補正対象項目名】００３８
【補正方法】変更
【補正の内容】
【００３８】
このようにして得られた補正データを、図５（ｂ）に示すフィールド毎の縦線ノイズ未補正画像それぞれから減算することで、縦線ノイズ補正を行うことができる。図５（ｅ）は、縦線ノイズ補正後の画像を示す。
【手続補正４】
【補正対象書類名】明細書
【補正対象項目名】００５７
【補正方法】変更
【補正の内容】
【００５７】
＜第２の実施形態＞
次に、本発明の第２の実施形態について説明する。上述した第１の実施形態では、撮像装置の温度、シャッタ速度、感度から予測される暗電流に基づく補正選択テーブルを用いて、検出した温度、シャッタ速度、感度に基づいて、通常読み出し、縦線ノイズ補正、黒引き処理のいずれかを選択した。
【手続補正５】
【補正対象書類名】明細書
【補正対象項目名】００５８
【補正方法】変更
【補正の内容】
【００５８】
しかしながら、撮像素子１０２で発生する暗電流は、撮像素子１０２ごとに固体バラツキを持っている。そのため、補正選択テーブルの作成時は撮像素子１０２の暗電流の固体バラツキを考慮して、縦線ノイズ補正の開始、または黒引き処理の開始を早めておく必要があるため、それだけ画質の劣化を早めてしまう結果となる。
【手続補正６】
【補正対象書類名】明細書
【補正対象項目名】００７７
【補正方法】変更
【補正の内容】
【００７７】
蓄積期間終了後、第１フィールドの読み出しパルスを出力し、第１フィールドの黒画像信号を読み出し、フレームメモリ部１０８に書き込む。黒画像信号をフレームメモリ部１０８に書き込んだ後、縦線ノイズ量を検出し、縦線ノイズの補正データを作成する。縦線ノイズ量の検出は、黒画像信号の所定領域の画素の平均値を各水平ライン数分、縦線ノイズ検出値として取得し、補正データを作成する。そして、フレームメモリ部１０８に記憶されている本撮影時の第１フィールドから第３フィールドの画像信号から、作成された補正データを減算することにより、縦線ノイズの画像補正を作成する。
【手続補正７】
【補正対象書類名】特許請求の範囲
【補正対象項目名】全文
【補正方法】変更
【補正の内容】
【特許請求の範囲】
【請求項１】
被写体の光学像の光電変換を行って画像信号に変換する、２次元に配列された複数の画素と、該複数の画素からの画像信号を垂直方向に転送する垂直転送部と、該垂直転送部により垂直方向に転送された画像信号を水平方向に転送する水平転送部とを含む撮像素子と、
前記画像信号に対する縦線ノイズ補正処理を行う縦線ノイズ補正手段と、
前記画像信号に対する黒引き処理を行う黒引き処理手段と、
前記撮像素子における暗電流の大きさを予測するための情報を取得し、取得した情報に基づいて、前記縦線ノイズ補正処理および前記黒引き処理のいずれか、または前記縦線ノイズ補正処理および前記黒引き処理のいずれも行わない通常読み出し処理を選択し、前記縦線ノイズ補正処理を選択した場合に、前記縦線ノイズ補正手段が前記縦線ノイズ補正処理を行うことにより画像の縦線ノイズを補正し、前記黒引き処理を選択した場合に、前記黒引き処理手段が前記黒引き処理を行うことにより画像の縦線ノイズ及び固定パターンノイズを補正するように制御する制御手段と、
を有することを特徴とする撮像装置。
【請求項２】
前記制御手段は、前記情報として、前記撮像素子の温度、シャッタ速度及び感度を取得し、予測される暗電流の大きさに応じて前記情報と処理内容とを対応付けたテーブルを保持し、該テーブルに従って、前記黒引き処理、前記縦線ノイズ補正処理、前記通常読み出し処理のいずれかを選択することを特徴とする請求項１に記載の撮像装置。
【請求項３】
前記撮像素子は、遮光された複数のＯＢ画素を含み、
前記制御手段は、前記情報として、現在読み出された第１の画像信号を取得する際の第１のシャッタ速度及び第１の感度と、前記第１の画像信号の読み出しに先んじて前記撮像素子から読み出された第２の画像信号のうち、前記ＯＢ画素から出力されたＯＢ画像信号と、前記第２の画像信号を取得する際の第２のシャッタ速度及び第２の感度とを取得し、
前記取得したＯＢ画像信号の標準偏差に、前記第２のシャッタ速度及び前記第２の感度に対する前記第１のシャッタ速度及び前記第１の感度の比率を掛けることで、前記第１の画像信号の読み出し時の暗電流の大きさを予測することを特徴とする請求項１に記載の撮像装置。
【請求項４】
前記縦線ノイズ補正手段は、前記画素からの画像信号を前記垂直転送部に転送せずに、該垂直転送部を空転送して信号を読み出し、該読み出した信号に基づいて縦線ノイズを補正するための補正データを生成し、該補正データを、前記画素から読み出した画像信号から減算することで、前記縦線ノイズ補正処理を行うことを特徴とする請求項１乃至３のいずれか１項に記載の撮像装置。
【請求項５】
前記縦線ノイズ補正手段は、前記空転送に先立って、前記垂直転送部の高速掃き出しを行うことを特徴とする請求項４に記載の撮像装置。
【請求項６】
前記縦線ノイズ補正手段は、前記画素を露光して画像信号を取得した後に、前記画素を遮光して黒画像信号を取得し、該黒画像信号に基づいて縦線ノイズを補正するための補正データを生成し、該補正データを、前記画素から読み出した画像信号から減算することで、前記縦線ノイズ補正処理を行うことを特徴とする請求項１乃至３のいずれか１項に記載の撮像装置。
【請求項７】
被写体の光学像の光電変換を行って画像信号に変換する、２次元に配列された複数の画素と、該複数の画素からの画像信号を垂直方向に転送する垂直転送部と、該垂直転送部により垂直方向に転送された画像信号を水平方向に転送する水平転送部とを含む撮像素子を含む撮像装置の制御方法であって、
取得手段が、前記撮像素子における暗電流の大きさを予測するための情報を取得する取得工程と、
選択手段が、前記取得した情報に基づいて、縦線ノイズ補正処理および黒引き処理のいずれか、または前記縦線ノイズ補正処理および前記黒引き処理のいずれも行わない通常読み出し処理を選択する選択工程と、
前記選択工程で前記縦線ノイズ補正処理が選択された場合に、縦線ノイズ補正処理手段が、前記画像信号に対する前記縦線ノイズ補正処理を行うことにより、画像の縦線ノイズを補正する縦線ノイズ補正処理工程と、
前記選択工程で前記黒引き処理が選択された場合に、黒引き処理手段が、前記画像信号に対する前記黒引き処理を行うことにより、画像の縦線ノイズ及び固定パターンノイズを補正する黒引き処理工程と
を有することを特徴とする制御方法。